(57)【要約】【課題】  回線インタフェースとは別個に専用の検出回路を設けることなく、受話器の再生ボリュームを調節することが可能な通信装置を提供すること。【解決手段】  ファクシミリ装置１は、回線側とデータ授受を行う回線インタフェース部４０に、回線電圧を検出可能な電圧検出回路７１を内蔵する半導体化ＤＡＡ（データアクセスアレンジメント）装置４１を備える。ファクシミリ装置１のＣＰＵ１１は、電圧検出回路７１の検出値に基づいて回線電流を算出し、その算出結果に基づいてアンプ５３，５５のゲインを調整する。具体的には、回線電流が閾値より大きいと、アンプゲインをＬｏｗに設定し、回線電流が閾値以下であると、アンプゲインをＨｉｇｈに設定する。これにより交換機３から当該ファクシミリ装置１までの回線が長い場合に、音声信号の減衰が大きいことが原因で、通話時に会話が聴き取り辛くなる等の問題を解消することができる。【選択図】  図２
2005295061.tif 000002
【特許請求の範囲】
【請求項１】
回線側とデータの授受を行う回線インタフェース部に、回線電圧及び回線電流の少なくとも一方を検出可能な検出回路を内蔵するデータアクセスアレンジメント装置を備える音声通信可能な通信装置であって、
前記回線インタフェース部が回線側から受信した音声通信データに基づく音声を再生可能な音声再生装置の再生ボリュームを、前記データアクセスアレンジメント装置に内蔵された前記検出回路の検出値に基づいて調整するボリューム調整手段、
を備えることを特徴とする通信装置。
【請求項２】
回線閉結時に、前記検出回路の検出値に基づき、回線電圧及び回線電流が規定範囲内であるか否かを判断する判断手段と、
前記判断手段により前記回線電圧及び回線電流が規定範囲内であると判断されると、前記ボリューム調整手段を作動させる作動制御手段と、
を備えることを特徴とする請求項１記載の通信装置。
【請求項３】
回線閉結時に、前記検出回路の検出値に基づき、回線電圧及び回線電流を規定範囲内に調整する調整手段と、
前記調整手段による回線電圧及び回線電流の調整が完了すると、前記ボリューム調整手段を作動させる作動制御手段と、
を備えることを特徴とする請求項１記載の通信装置。
【請求項４】
前記調整手段は、前記データアクセスアレンジメント装置の回線側端部の抵抗値を調整することによって、回線電圧及び回線電流を規定範囲内に収めることを特徴とする請求項３記載の通信装置。
【請求項５】
前記ボリューム調整手段は、作動すると、前記検出回路の検出値に基づき、前記音声再生装置の再生ボリュームを上げる方向あるいは下げる方向に調整することを特徴とする請求項１〜請求項４のいずれかに記載の通信装置。
【請求項６】
前記音声再生装置は、前記再生ボリュームを少なくとも大小の二段階に切替可能な構成にされ、前記ボリューム調整手段の作動時まで再生ボリュームを小に保持する構成にされており、
前記ボリューム調整手段は、作動すると、前記検出回路の検出値に基づいて、前記音声再生装置の再生ボリュームの切替要否を判断し、再生ボリュームの切替を要と判断すると、前記音声再生装置の再生ボリュームを、大側に切り替えることを特徴とする請求項１〜請求項５のいずれかに記載の通信装置。
【請求項７】
前記ボリューム調整手段は、前記検出回路の検出値と予め定められた基準値とを比較し、その比較結果に基づいて、前記音声再生装置の再生ボリュームの切替要否を判断することを特徴とする請求項６記載の通信装置。
【請求項８】
音声通信を行うための前記音声再生装置を備えるハンドセットと、ファクシミリ通信を行うためのモデムと、を備える音声通信及びファクシミリ通信可能な請求項１〜請求項７記載の通信装置であって、
前記モデム及び前記ハンドセットと、前記データアクセスアレンジメント装置と、をデータ授受可能に接続する線路に、二次側の前記モデム及び前記ハンドセットと一次側である回線側とを絶縁する一次二次分離回路を備えると共に、
前記データアクセスアレンジメント装置が回線側から受信した音声通信データを、前記ハンドセットが取扱い可能な信号に変換して、前記ハンドセットに入力すると共に、前記ハンドセットの出力信号を、前記データアクセスアレンジメント装置が取り扱い可能な音声通信データに変換する変換回路を備え、
前記変換回路は、前記データアクセスアレンジメント装置が回線側より受信した音声通信データを、前記一次二次分離回路を介して取得すると共に、前記ハンドセットの出力信号を変換して得られた音声通信データを、前記一次二次分離回路を介して前記データアクセスアレンジメント装置に入力する構成にされていることを特徴とする通信装置。
【発明の詳細な説明】
【技術分野】
【０００１】
本発明は、回線側とデータの授受を行う回線インタフェース部に、データアクセスアレンジメント装置を有し、そのデータアクセスアレンジメント装置に、回線電圧及び回線電流の少なくとも一方を検出可能な検出回路を有する通信装置に関する。
【背景技術】
【０００２】
従来より、通信装置としては、公衆電話回線網（ＰＳＴＮ）から電話回線を通じて送信されてくる音声信号を、受話器にて再生する電話機が知られている。この種の電話機では、交換機に繋がる電話回線の長さに応じて、伝送ロスにより、受話器に入力される音声信号の入力レベルが変化するため、電話回線が長い電話機においては、受話器による音声の再生ボリュームが小さく、通話時に、会話内容が聴きとり辛くなる可能性があった。
【０００３】
このような問題を解決するため、従来では、ダイヤル信号の送出や回線保持についての制御を行う回線インタフェース部より回線側に、回線電流を検出可能な検出回路を設け、その検出回路の検出値に基づいて、受話器に設けられたアンプの増幅率を調整するなどしていた（例えば、特許文献１参照）。
【特許文献１】特開平５−３４７６６１号公報
【発明の開示】
【発明が解決しようとする課題】
【０００４】
しかしながら、上記従来技術では、受話器に設けられたアンプの増幅率を調整するために、専用の検出回路を設けるため、電話機の製造コストが高くなる問題があった。
本発明は、こうした問題に鑑みなされたものであり、回線インタフェースとは別個に専用の検出回路を設けることなく、受話器の再生ボリュームを調節することが可能な通信装置を提供することを目的とする。
【課題を解決するための手段】
【０００５】
かかる目的を達成するためになされた請求項１記載の発明は、回線電圧及び回線電流の少なくとも一方を検出可能な検出回路を内蔵するデータアクセスアレンジメント装置を、回線側とデータの授受を行う回線インタフェース部に備える音声通信可能な通信装置に、データアクセスアレンジメント装置に内蔵された上記検出回路の検出値に基づいて、音声再生装置の再生ボリュームを調整するボリューム調整手段、を設けたものである。尚、ここでいう音声再生装置とは、回線インタフェース部が回線側から受信した音声通信データに基づく音声を再生可能に構成されたものである。また、上記データアクセスアレンジメント装置としては、回線規格に適合させて自身と回線とを接続するために、回線電圧及び回線電流の少なくとも一方を検出する検出回路を内蔵するものが知られている。
【０００６】
本発明の通信装置によれば、データアクセスアレンジメント装置内蔵の検出回路を用いて、音声再生装置の再生ボリュームを調整するので、回線インタフェースとは別個に、再生ボリューム調整用の検出回路を装置内に設ける必要がなく、製品を安価に製造することができ、更には製品の小型化を図ることができる。
【０００７】
尚、回線閉結時には、回線電圧及び回線電流が不安定であるため、その時期にボリューム調整手段が動作すると、音声再生装置の再生ボリュームが不適切に調整される可能性がある。従って、上記通信装置は、次のように構成されるとよい。
【０００８】
請求項２記載の通信装置は、検出回路の検出値に基づき、回線閉結時に、回線電圧及び回線電流が規定範囲内であるか否かを判断する判断手段、を備え、その判断手段により回線電圧及び回線電流が規定範囲内であると判断されると、作動制御手段にて、ボリューム調整手段を作動させるものである。
【０００９】
この発明によれば、回線閉結後、回線電圧及び回線電流の不安定時期が終了し、回線電圧及び回線電流が規定範囲内に収まった後に、ボリューム調整手段が作動する。従って、ボリューム調整手段は、回線閉結後、回線電圧及び回線電流が安定した状態での検出値を用いて、再生ボリュームの調整を行うことができる。よって、この発明によれば、ボリューム調整手段により、再生ボリュームが不適切に調整されるのを防止することができる。
【００１０】
また、本発明の通信装置が、検出回路の検出値に基づき、回線閉結時に、回線電圧及び回線電流を規定範囲内に調整する調整手段を備えるものである場合には、調整手段による回線電圧及び回線電流の調整が完了してから、作動制御手段にて、ボリューム調整手段を作動させるとよい。このように構成された請求項３記載の通信装置によれば、回線電圧及び回線電流が規定範囲内に収まった後に、ボリューム調整手段が作動するので、請求項２記載の発明と同様、再生ボリュームが不適切に調整されるのを防止することができる。
【００１１】
尚、この発明は、請求項４記載のように、調整手段が、データアクセスアレンジメント装置の回線側端部の抵抗値を調整することによって、回線電圧及び回線電流を規定範囲内に収める構成にされた通信装置に適用することができる。
【００１２】
また、ボリューム調整手段は、再生ボリュームを上げる方向、あるいは下げる方向に調整して、最適なボリュームを設定する構成にされるとよい。このように構成された請求項５記載の通信装置によれば、音声再生装置の再生ボリュームを上げる方向、あるいは下げる方向に調整するため、回線の状況に応じて再生ボリュームを適切な状態に保持することができる。
【００１３】
また、音声の再生開始時に再生ボリュームが大き過ぎると利用者が驚く可能性があるから、ボリューム調整手段は、検出回路の検出値に基づき、音声再生装置の再生ボリュームを上げる方向に調整して、その再生ボリュームを適値に設定する構成にされるとよい。
【００１４】
そして、音声再生装置が再生ボリュームを少なくとも大小の二段階に切替可能な構成にされ、ボリューム調整手段の作動時まで再生ボリュームが小に保持される場合には、ボリューム調整手段を、以下のように構成するとよい。
【００１５】
請求項６記載の通信装置におけるボリューム調整手段は、作動すると、検出回路の検出値に基づいて、音声再生装置の再生ボリュームの切替要否を判断し、再生ボリュームの切替を要と判断すると、音声再生装置の再生ボリュームを、大きい側に切り替える構成にされている。この通信装置によれば、音声再生時に、再生ボリュームが大きすぎることにより、利用者を驚かせてしまうのを防止することができる。
【００１６】
尚、上記通信装置におけるボリューム調整手段は、検出回路の検出値と予め定められた基準値とを比較し、その比較結果に基づいて、再生ボリュームの切替要否を判断する構成にされるとよい。このように構成された請求項７記載の通信装置によれば、簡単且つ高速に再生ボリュームの切替を行うことができる。
【００１７】
また、請求項１〜７記載の発明は、音声通信を行うための音声再生装置を備えるハンドセットと、ファクシミリ通信を行うためのモデムと、を備える音声通信及びファクシミリ通信可能な通信装置に適用されてもよい。また、モデム及びハンドセットを備える上記通信装置に本発明を適用する際には、モデム及びハンドセットと、データアクセスアレンジメント装置と、をデータ授受可能に接続し、その接続線路に、一次二次分離回路を設けるとよい。
【００１８】
他の例としては、回線インタフェース部におけるデータアクセスアレンジメント装置と電話回線とを結ぶ線路に、別途、音声通信用の回線制御部(ネットワークコントロールユニット)を設けて、データアクセスアレンジメント装置とモデムとの接続線路に一次二次分離回路を設けると共に、回線制御部とハンドセットとの接続線路に一次二次分離回路を設けることが考えられるが、そのようにすると、一次二次分離回路を装置内に複数設けなければならず、製造コストが高くなる。
【００１９】
これに対して、請求項８記載のように、モデム及びハンドセットと、データアクセスアレンジメント装置とをデータ授受可能に接続し、その接続線路に、二次側のモデム及びハンドセットと一次側である回線側とを絶縁する一次二次分離回路を設けると、一次二次分離回路が一つで済む。
【００２０】
尚、請求項８記載の通信装置には、データアクセスアレンジメント装置にて、音声通信データ及びファクシミリ通信データを取り扱うようにしたことにより、データアクセスアレンジメント装置が回線側から受信した音声通信データを、ハンドセットが取扱い可能な信号に変換してハンドセットに入力すると共に、ハンドセットの出力信号を、データアクセスアレンジメント装置が取り扱い可能な音声通信データに変換する変換回路を設けた。
【００２１】
そして、データアクセスアレンジメント装置が回線側より受信した音声通信データを、一次二次分離回路を介して取得すると共に、ハンドセットの出力信号を変換して得られた音声通信データを、一次二次分離回路を介してデータアクセスアレンジメント装置に入力するように、上記変換回路を構成した。
【００２２】
従って、この発明によれば、ファクシミリ通信及び音声通信可能に通信装置を構成する場合に、装置構成を簡単にすることができ、製造コストを低く抑えることができる。
【発明を実施するための最良の形態】
【００２３】
以下に本発明の実施例について、図面と共に説明する。図１は、本発明が適用されたファクシミリ装置１の電気的構成を示すブロック図である。また、図２（ａ）は、通信部２１の構成を示すブロック図であり、図２（ｂ）は、音声処理部４５の構成を示すブロック図である。その他、図３は、回線インタフェース部４０の構成を示すブロック図である。
【００２４】
本実施例のファクシミリ装置１は、ＣＰＵ１１、ＲＯＭ１３、ＲＡＭ１５、ＥＥＰＲＯＭ１７、画像メモリ１９、通信部２１、スキャナ２３、符号化部２５、復号化部２７、プリンタ２９、操作パネル３１、及び表示部３３を備え、これらがバスラインを介して互いに接続された構成にされている。
【００２５】
ＣＰＵ１１は、バスラインに接続された装置各部１３〜３３を統括制御するものであり、例えば、通信部２１を制御してファクシミリ通信、音声通信等を実現する。一方、ＲＯＭ１３は、ＣＰＵ１１にて実行される各種プログラムを記憶するものであり、ＲＡＭ１５は、ＣＰＵ１１による各種プログラムの実行時に、データ等を一時的に記憶する作業用メモリとして使用される。また、ＥＥＰＲＯＭ１７は、ファクシミリ装置１に係る各種設定情報を記憶するメモリとして使用される。
【００２６】
画像メモリ１９は、スキャナ２３が生成した読取データや、外部ファクシミリ装置からの受信データ等を記憶するためのメモリである。スキャナ２３によって生成された読取データは、この画像メモリ１９に蓄積される。また、通信部２１により受信されたファクシミリデータは、復号化部２７で復号化データに変換された後、この画像メモリ１９に蓄積され、プリンタ２９によって印刷処理が行われた後、画像メモリ１９から消去される。
【００２７】
また、通信部２１は、ファクシミリ通信及び音声通信に使用されるものであり、回線インタフェース部４０、一次二次分離部４２、モデム４３、音声処理部４５、スピーカフォン４７、及びハンドセット４９を備える（詳細後述）。この他、スキャナ２３は、供給された原稿をイメージセンサ等を用いて光学的に読み取り、その読取結果に基づいて読取データを生成するものである。
【００２８】
符号化部２５は、スキャナ２３により生成された読取データを符号化してファクシミリ送信用の画像データであるファクシミリデータを生成し、復号化部２７は、通信部２１が外部ファクシミリ装置から受信したファクシミリデータを復号化して、そのファクシミリデータを、プリンタ２９が取扱い可能なデータ形式に変換する。
【００２９】
プリンタ２９は、復号化部２７で生成された復号化データに基づく画像又はスキャナ２３で生成された読取データに基づく画像を記録紙に形成するものであり、例えば、インクジェットプリンタで構成される。また、操作パネル３１は、０〜９までの番号キー等、各種操作キーを備え、利用者によりこれらのキーが操作されると、その操作情報をＣＰＵ１１に入力する。その他、表示部３３は、液晶ディスプレイ等から構成され、ＣＰＵ１１からの指令に従い、各種情報を表示する。
【００３０】
続いて、通信部２１の構成について説明する。通信部２１が備える回線インタフェース部４０は、回線（交換機３）側とデータ（音声通信信号、ファクシミリ通信信号等）の授受を行うための回路であり、半導体化ＤＡＡ（データアクセスアレンジメント）装置４１などから構成される。当該ファクシミリ装置１は、この回線インタフェース部４０を介して、公衆電話回線網（ＰＳＴＮ）の交換機３に接続された電話回線ＬＮに接続される。
【００３１】
回線インタフェース部４０は、交換機３から送信されてくるリング（呼出）信号や、外部通信端末から送出された音声通信信号やファクシミリ通信信号等、公衆電話回線網（ＰＳＴＮ）から送信されてくる各種信号を受信すると共に、ファクシミリ通信や音声通信に必要な通信信号を交換機３に向け送出する。回線インタフェース部４０が電話回線ＬＮから受信したアナログ通信信号は、回線インタフェース部４０が備えるコーデック６５によってディジタル通信信号に変換され、一次二次分離部４２を介し、モデム４３に入力される。
【００３２】
一次二次分離部４２は、安全規格上、回線（一次）側とモデム４３（二次）側とを分離するためのものである。この一次二次分離部４２は、回線インタフェース部４０の半導体化ＤＡＡ装置４１とモデム４３とをデータ授受可能に接続する線路に、コンデンサ４２ａ，４２ｂが配置された構成にされている。このコンデンサ４２ａ，４２ｂにより一次側の回線インタフェース部４０は、二次側に属するモデム４３、及び、それより下流の装置各部（通信部２１が備える音声処理部４５及びスピーカフォン４７並びにハンドセット４９や、通信部２１にバスラインを介して接続された装置各部１１〜１９，２３〜３３等）と、直流的に絶縁される。また、この一次二次分離部４２は、モデム４３を介して回線インタフェース部４０の半導体化ＤＡＡ装置４１に電源を供給するためのトランス４２ｃを備える。
【００３３】
モデム４３は、ファクシミリ通信時に動作するＦＡＸ信号制御部４３ａと、音声通信時に動作する音声信号制御部４３ｂと、このＦＡＸ信号制御部４３ａ及び音声信号制御部４３ｂと回線インタフェース部４０とをデータ授受可能に接続するシリアルインタフェース４３ｃと、を備える。
【００３４】
ＦＡＸ信号制御部４３ａは、外部ファクシミリ装置とファクシミリ通信を行うための信号変換装置であり、符号化部２５により生成されたファクシミリデータに基づくファクシミリ送信用の通信信号を生成し、これを一次二次分離部４２を介して回線インタフェース部４０の半導体化ＤＡＡ装置４１に入力すると共に、回線インタフェース部４０の半導体化ＤＡＡ装置４１が回線側から受信したファクシミリ通信信号を一次二次分離部４２を介して取得して、ファクシミリデータを抽出する。また、このＦＡＸ信号制御部４３ａは、上記変換動作と共に、伝送制御用の各種手順信号を送受信する。
【００３５】
一方、音声信号制御部４３ｂは、音声通信時に、ハンドセット４９に繋がる音声処理部４５と回線インタフェース部４０の半導体化ＤＡＡ装置４１とをデータ授受可能に接続する。この音声信号制御部４３ｂは、音声処理部４５から出力されるディジタル音声信号を、送信用の音声通信信号として、一次二次分離部４２を介し回線インタフェース部４０の半導体化ＤＡＡ装置４１に入力すると共に、回線インタフェース部４０から一次二次分離部４２を介して入力されるディジタル音声通信信号を、音声信号として、音声処理部４５に入力する。
【００３６】
音声処理部４５は、音声信号制御部４３ｂから入力されるディジタル音声信号を、ハンドセット４９又はスピーカフォン４７で再生可能なアナログ音声信号に変換して出力すると共に、ハンドセット４９又はスピーカフォン４７から入力されるアナログ音声信号を、音声信号制御部４３ｂ及び回線インタフェース部４０の半導体化ＤＡＡ装置４１が取り扱い可能なディジタル音声信号に変換して、モデム４３の音声信号制御部４３ｂに入力するコーデック５１を備える。
【００３７】
また、この音声処理部４５は、ハンドセット４９又はスピーカフォン４７から入力されるアナログ音声信号を増幅しコーデック５１に入力するアンプ５３と、コーデック５１から出力されるアナログ音声信号を増幅するアンプ５５と、ハンドセット４９及びスピーカフォン４７から入力されるアナログ音声信号のいずれか一方を選択的にアンプ５３及びコーデック５１を介してモデム４３の音声信号制御部４３ｂに入力する切替部５７と、コーデック５１から出力されアンプ５５にて増幅されたアナログ音声信号をハンドセット４９及びスピーカフォン４７のいずれか一方に入力する切替部５９と、を備える。
【００３８】
各アンプ５３，５５は、ゲイン（信号増幅率）を、Ｌｏｗ（低）／Ｈｉｇｈ（高）の二段階で変更可能な構成にされており、ＣＰＵ１１からの指令を受けてゲイン調整（Ｌｏｗ又はＨｉｇｈへの切替）を行う。また、切替部５７，５９は、ＣＰＵ１１に制御されて、ハンドセット４９及びスピーカフォン４７のいずれか一方と接続される。
【００３９】
また、音声通信時に用いられるハンドセット４９は、マイクロフォンにより構成される送話器４９ｍと、スピーカにより構成される受話器４９ｒとからなる周知のハンドセットである。その他、スピーカフォン４７は、ハンズフリー通話を可能とする装置であり、スピーカ４７ｒと、マイクロフォン４７ｍと、を備える。受話器４９ｒ及びスピーカ４７ｒでは、切替部５９からの入力信号により、回線インタフェース部４０が回線側から受信した音声通信信号に基づく音声が再生される。
【００４０】
続いて、回線インタフェース部４０の詳細構成について説明する。本実施例の回線インタフェース部４０は、上記半導体化ＤＡＡ装置４１の他、回線網の直流ループ電流の極性を一方向へ整流するためのダイオードブリッジ６０、直流ループカット用コンデンサ６２ａ，６２ｂ，６２ｃ，６２ｄ、半導体化ＤＡＡ装置４１の回線側端部の抵抗値を調整するための調整回路６４等を備える。この回線インタフェース部４０には、端子ＴＬ１，ＴＬ２を介し、二芯の電話回線ＬＮが接続される。
【００４１】
回線インタフェース部４０が備える半導体化ＤＡＡ装置４１は、モデム４３のシリアルインタフェース４３ｃに一次二次分離部４２を介して接続されるシリアルインタフェース６１と、リング検出回路６３と、コーデック６５と、受信アンプ６７と、送信アンプ６９と、電圧検出回路７１と、ハイブリッドネットワーク７３と、を備える。
【００４２】
リング検出回路６３は、端子ＴＬ１，ＴＬ２を介して電話回線ＬＮに接続され、電話回線ＬＮからリング信号が到来すると、そのリング信号を検出し、リング信号と同じサイクルで変化するリング検出信号を、シリアルインタフェース６１に入力する。シリアルインタフェース６１に入力されたリング検出信号は、一次二次分離部４２のコンデンサ４２ｂが介在する伝送線路を介してモデム４３に入力される。尚、モデム４３は、リング検出信号が入力されると、その旨をＣＰＵ１１に通知する。
【００４３】
コーデック６５は、アナログ−ディジタル変換回路及びディジタル−アナログ変換回路を備えるものである。このコーデック６５は、回線が閉結された後、電話回線ＬＮを通じて回線側（公衆電話回線網）から受信したアナログ通信信号（音声通信信号又はファクシミリ通信信号）を、ディジタル通信信号に変換し、そのディジタル通信信号をシリアルインタフェース６１を介しモデム４３に入力すると共に、モデム４３側から入力されたディジタル通信信号（音声通信信号又はファクシミリ通信信号）を、アナログ通信信号に変換して、電話回線ＬＮ側に出力する。
【００４４】
このコーデック６５は、受信アンプ６７を介して電話回線ＬＮと接続され、送信アンプ６９を介してハイブリッドネットワーク７３と接続されている。また、電圧検出回路７１の出力端に接続され、電圧検出回路７１の検出信号を、ディジタル信号にして、モデム４３側に提供する構成にされている。尚、モデム４３は、電圧検出回路７１の検出信号が入力されると、その信号をＣＰＵ１１に入力する。
【００４５】
受信アンプ６７は、差動型の増幅器であり、電話回線ＬＮに繋がる端子ＴＬ１，ＴＬ２から入力されるアナログ通信信号を、差動入力形式でコーデック６５に入力する。また、送信アンプ６９は、コーデック６５から出力されるアナログ通信信号を増幅してハイブリッドネットワーク７３に入力する構成にされている。
【００４６】
電圧検出回路７１は、ダイオードブリッジ６０により整流されて半導体化ＤＡＡ装置４１に入力される回線電圧を検出するものであり、ダイオードブリッジ６０とハイブリッドネットワーク７３とを結ぶ線路に接続されている。電圧検出回路７１の検出信号（電圧値を表す検出信号）は、コーデック６５に入力され、このコーデック６５からモデム４３を介してＣＰＵ１１に入力される。
【００４７】
一方、ハイブリッドネットワーク７３は、コーデック６５から送信アンプ６９を介して入力された送信用の通信信号（ファクシミリ通信信号又は音声通信信号）を、電話回線ＬＮに送出するものである。このハイブリッドネットワーク７３は、回線規格に適合する閉ループを形成するために、当該ハイブリッドネットワーク７３と電話回線ＬＮとを結ぶ線路上に配置された調整回路６４を通じて、ハイブリッドネットワーク７３の回線側端部の抵抗値を調整し、これによって回線電圧及び回線電流を調整する。
【００４８】
調整回路６４は、ダイオードブリッジ６０にコレクタが接続されたトランジスタＴｒと、トランジスタＴｒのコレクタとハイブリッドネットワーク７３とを結ぶ線路上に配置されたコンデンサＣ及び抵抗Ｒ１と、トランジスタＴｒのエミッタとグランドとを結ぶ線路上に配置された抵抗Ｒ２とからなる。
【００４９】
ハイブリッドネットワーク７３は、トランジスタＴｒのベース、及び、トランジスタＴｒのエミッタに接続されており、トランジスタＴｒをオンにすることによって、閉ループを形成して回線を閉結する。また、トランジスタＴｒに供給するベース電位を調整することによって、ハイブリッドネットワーク７３の回線側端部の抵抗値を調整し、回線電圧及び回線電流を、回線規格に適合させる。尚、このハイブリッドネットワーク７３は、シリアルインタフェース６１と接続されており、このシリアルインタフェース６１及びモデム４３を介してＣＰＵ１１に制御される。
【００５０】
また、上述したシリアルインタフェース６１は、リング検出回路６３からのリング検出信号や、コーデック６５から出力されるディジタル通信信号等をシリアル信号に一本化して、コンデンサ４２ｂが介在する伝送線路に出力すると共に、コンデンサ４２ａが介在する伝送線路を介してモデム４３から入力されるシリアル信号を、夫々分離して、半導体化ＤＡＡ装置４１内の各部に入力する構成にされている。
【００５１】
続いて、当該ファクシミリ装置１のＣＰＵ１１が実行する通信処理について説明する。図４は、ＣＰＵ１１が実行する通信処理を表すフローチャートであり、図５は、ＣＰＵ１１が実行する回線閉結処理を表すフローチャートである。
【００５２】
ＣＰＵ１１は、通信処理を実行すると、利用者がハンドセット４９をオフフックする、又は、操作パネル３１のオフフックキーを押下するなどして、装置各部から回線閉結指令が入力されるまで待機し（Ｓ１１０）、回線閉結指令が入力されたと判断されると（Ｓ１１０でＹｅｓ）、回線閉結処理タスクを起動し（Ｓ１２０）、Ｓ１４０に移行する。
【００５３】
図５に示す回線閉結処理において、ＣＰＵ１１は、まず半導体化ＤＡＡ装置４１内の電圧検出回路７１から検出値を取得し（Ｓ１２１）、検出値が示す回線電圧が正常範囲に収まっているか否か判断する（Ｓ１２３）。このステップでは、上記判断により、電話回線ＬＮが回線インタフェース部４０に正しく接続されていないこと等を原因とした電圧異常を検知する。
【００５４】
Ｓ１２３で回線電圧が正常ではないと判断すると（Ｓ１２３でＮｏ）、ＣＰＵ１１は、回線閉結に失敗したことを示す閉結失敗通知を通信処理タスクに入力し（Ｓ１３９）、当該回線閉結処理を終了する。
【００５５】
一方、回線電圧が正常であると判断すると（Ｓ１２３でＹｅｓ）、ＣＰＵ１１は、半導体化ＤＡＡ装置４１に閉結動作を実行させる。具体的にはハイブリッドネットワーク７３を制御して、調整回路６４のトランジスタＴｒにベース電位を供給し、トランジスタＴｒをオンにして、交換機３との閉ループを形成する（Ｓ１２５）。
【００５６】
その後、ＣＰＵ１１は、電圧検出回路７１から検出値を取得する（Ｓ１２７）。また、取得した電圧検出回路７１の検出値に基づいて回線電流を算出し、回線電圧及び回線電流を把握する（Ｓ１２９）。
【００５７】
Ｓ１２９での処理を終えると、ＣＰＵ１１は、回線電圧が、予め定められた限界電圧を越えているか否か判断し（Ｓ１３１）、回線電圧が予め定められた限界電圧を越えていると判断すると（Ｓ１３１でＹｅｓ）、半導体化ＤＡＡ装置４１に回線開放動作を行わせる（Ｓ１３２）。その後、ＣＰＵ１１は、閉結失敗通知を通信処理タスクに入力して（Ｓ１３９）、当該回線閉結処理を終了する。
【００５８】
一方、回線電圧が予め定められた限界電圧以下であると判断すると（Ｓ１３１でＮｏ）、ＣＰＵ１１は、Ｓ１２９での処理結果に基づき、回線電圧及び回線電流が予め定められた規定範囲内であるか否か判断し（Ｓ１３３）、回線電圧及び回線電流が規定範囲内であると判断すると（Ｓ１３３でＹｅｓ）、閉結が完了したことを示す閉結完了通知を通信処理タスクに入力する（Ｓ１３５）。
【００５９】
尚、図６は、回線電圧及び回線電流と、回線規格との関係を示したグラフである。ＣＰＵ１１は、図６に示す規定範囲内に回線電圧及び回線電流が収まっている場合に、Ｓ１３３でＹｅｓと判断し、Ｓ１３５での処理後、当該回線閉結処理を終了する。
【００６０】
また、回線電圧及び回線電流が規定範囲内に収まっていないと判断すると（Ｓ１３３でＮｏ）、ＣＰＵ１１は、ハイブリッドネットワーク７３を制御して、調整回路６４に設けられたトランジスタＴｒのベース電位を、回線電圧及び回線電流が規定範囲内に収まる方向に調整し（Ｓ１３７）、その後、Ｓ１２７に移行する。例えば、回線電流が規定範囲よりも小さい場合には、ベース電位を上げる、即ちトランジスタＴｒに流す電流量を増やすことで、回線電流を大きくする方向に調整し、回線電流が規定範囲よりも大きい場合には、ベース電位を下げる、即ちトランジスタＴｒに流す電流量を減らすことで、回線電流を小さくする方向に調整する。
【００６１】
Ｓ１３７におけるベース電位の調整は、Ｓ１３３で回線電圧及び回線電流が規定範囲内に収まったと判断されるまで実行され、回線電圧及び回線電流が規定範囲内に収まると、ＣＰＵ１１は、Ｓ１３３でＹｅｓと判断して、閉結完了通知を通信処理タスクに入力し（Ｓ１３５）、当該回線閉結処理を終了する。
【００６２】
一方、通信処理のＳ１４０において、ＣＰＵ１１は、回線閉結処理タスクから閉結完了通知が入力されたか否か判断し、閉結完了通知が入力されていないと判断すると（Ｓ１４０でＮｏ）、閉結失敗通知が入力されたか否か判断し（Ｓ１４５）、閉結失敗通知が入力されていないと判断すると（Ｓ１４５でＮｏ）、閉結完了通知又は閉結失敗通知が回線閉結処理タスクから入力されるまで待機する。そして、閉結失敗通知が入力されたと判断すると（Ｓ１４５でＹｅｓ）、当該通信処理を終了する。
【００６３】
一方、閉結完了通知が入力されたと判断すると（Ｓ１４０でＹｅｓ）、ＣＰＵ１１は、音声処理部４５のアンプ５３，５５のゲインをＬｏｗ（ロウ）に設定し（Ｓ１５０）、ハンドセット４９及びスピーカフォン４７のいずれか一方と、アンプ５３，５５とを接続する（Ｓ１５５）。このステップによって、ハンドセット４９又はスピーカフォン４７は、音声の再生ボリュームが小にされた状態で、音声信号制御部４３ｂしいては半導体化ＤＡＡ装置４１と、データ（音声信号）授受可能に接続される。
【００６４】
尚、ここでは、Ｓ１１０でハンドセット４９がオフフックされて回線閉結指令が入力された場合に、アンプ５３，５５とハンドセット４９とを接続するように切替部５７，５９を制御し、操作パネル３１のオフフックキーが押下されて回線閉結指令が入力された場合に、アンプ５３，５５とスピーカフォン４７とを接続するように切替部５７，５９を制御する。
【００６５】
このようにして、音声処理部４５とハンドセット４９及びスピーカフォン４７のいずれか一方を接続した後、ＣＰＵ１１は、回線電流をチェックする（Ｓ１６０）。ここでは、電圧検出回路７１から回線電圧を示す検出値を取得し、その検出値に基づいて回線電流を算出する。
【００６６】
その後、ＣＰＵ１１は、回線電流が閾値より大きいか否か判断し（Ｓ１７０）、閾値より大きいと判断すると（Ｓ１７０でＹｅｓ）、アンプ５３，５５を制御して、アンプ５３，５５のゲインをＬｏｗに設定する（Ｓ１７３）。また、回線電流が閾値以下であると判断すると（Ｓ１７０でＮｏ）、アンプ５３，５３を制御して、アンプ５３，５５のゲインをＨｉｇｈ（ハイ）に設定する（Ｓ１７７）。
【００６７】
Ｓ１７３又はＳ１７７での処理を終えると、ＣＰＵ１１は、回線開放指令が入力されたか否か判断し（Ｓ１８０）、回線開放指令が入力されていないと判断すると（Ｓ１８０でＮｏ）、Ｓ１６０に移行して、再び回線電流に基づいたアンプ５３，５３のゲイン調整を行う。尚、Ｓ１８０では、ハンドセット４９がオンフックされるか、操作パネル３１のオンフックキーが押下されると、回線開放指令が入力されたと判断する。このようにして、Ｓ１８０で回線開放指令が入力されたと判断すると（Ｓ１８０でＹｅｓ）、ＣＰＵ１１は、半導体化ＤＡＡ装置４１を制御して、回線を開放（Ｓ１９０）した後、当該通信処理を終了する。
【００６８】
以上、回線電圧を検出可能な電圧検出回路７１を内蔵する半導体化ＤＡＡ装置４１を、回線側とデータ(通信信号)の授受を行う回線インタフェース部４０に備える本実施例のファクシミリ装置１について説明したが、このファクシミリ装置１においては、ハンドセット４９がオフフックされて回線閉結指令が入力されると、ＣＰＵ１１が、ハイブリッドネットワーク７３を制御して回線を閉結する（Ｓ１２５）と共に、その回線閉結時に、電圧検出回路７１の検出値に基づいて、調整回路６４のトランジスタＴｒに印加するベース電位を変更し（Ｓ１３７）、ハイブリッドネットワーク７３の回線側終端の抵抗値を調整することによって、回線電圧及び回線電流を規定範囲内に収める。
【００６９】
また、ＣＰＵ１１は、上記調整が完了し回線電圧及び回線電流が規定範囲内に収まると、回線電圧及び回線電流が規定範囲内であると判断して、後続のボリューム調整処理（Ｓ１６０〜Ｓ１８０）を実行し、電圧検出回路７１の検出値から求めた回線電流に基づいて、音声処理部４５のアンプ５３，５５のゲインを調整し、ハンドセット４９の受話器４９ｒ、又は、スピーカフォン４７のスピーカ４７ｒにて再生される音声のボリュームを、回線電流に適したレベルに設定する。具体的には、電圧検出回路７１の検出値から算出した回線電流を、閾値（基準値）と比較し、その結果に基づいて、音声処理部４５のアンプ５３，５５のゲインをＬｏｗ又はＨｉｇｈに切り替えて、音声再生ボリュームを、大小の二段階で切り替える。
【００７０】
尚、ボリューム調整処理の初回動作時には、回線電流が閾値以下であると、アンプ５３，５５のゲイン切替を要と判断し（１７０でＮｏ）、アンプ５３，５５のゲインをＬｏｗからＨｉｇｈに切り替えることで、受話器４９ｒ又はスピーカ４７ｒの再生ボリュームを、上げる方向に（即ち、小から大に）変更する。また、回線電流が閾値より大きい場合には、音声の出力準備が完了し（Ｓ１５５）、ボリューム調整処理（Ｓ１６０〜Ｓ１８０）が開始される前に、アンプ５３，５５に設定した状態（ゲインがＬｏｗである状態）を保持し、再生ボリュームを小の状態に保つ（Ｓ１７３）。
【００７１】
このように、本実施例によれば、半導体化ＤＡＡ装置４１内蔵の電圧検出回路７１を用いて、受話器４９ｒ、スピーカ４７ｒの再生ボリュームを調整するので、回線インタフェース部４０とは別個に、ボリューム調整用の検出回路を装置内に設ける必要がなく、製品を安価に製造することができ、更には製品の小型化を図ることができる。
【００７２】
また、本実施例のファクシミリ装置１によれば、回線閉結時における回線電圧及び回線電流の不安定時期が終了し、回線電圧及び回線電流が規定範囲内に収まった後に、検出された回線電圧に基づいて、回線電流を推定し、回線電流に応じたアンプゲインを設定するので、回線電圧及び回線電流の不安定時期に、再生ボリュームが不適切に調整されるのを防止することができる。
【００７３】
その他、本実施例のファクシミリ装置１によれば、切替部５７，５９とハンドセット４９又はスピーカフォン４７との接続が完了し音声出力が開始される時点で、再生ボリュームが最小となるように予めアンプゲインをＬｏｗに設定して、ボリューム調整処理（Ｓ１６０〜Ｓ１８０）の開始まで再生ボリュームを小に保持し、その後、回線電流が閾値以下であると判断した時点で、再生ボリュームを上げる方向にアンプ５３，５５のゲインを調整するため、音声出力開始時の再生ボリュームが大きすぎることにより、利用者に不満が及ぶのを防止することができる。
【００７４】
また、本実施例では、アンプゲインを二段階で切り替える構成にして、再生ボリュームを大小の二段階で切替可能にし、電圧検出回路７１の検出値から導出した回線電流と閾値との比較結果に基づいて、再生ボリュームを切り替える構成にしたので、簡単な装置構成で、高速且つ適切に、再生ボリュームを調整することができる。従って、低コストに良好な製品を製造することができる。
【００７５】
その他、本実施例のファクシミリ装置１では、半導体化ＤＡＡ装置４１とモデム４３とをデータ授受可能に接続する伝送線路に一次二次分離部４２を設け、そのモデム４３に、ハンドセット４９を音声処理部４５を介して接続することで、音声通信信号の伝送路及びファクシミリ通信信号の伝送路の夫々に一次二次分離部４２を設けることなく、単一の一次二次分離部４２で、一次側と二次側を絶縁接続できるようにした。従って、本実施例のファクシミリ装置１によれば、製品の製造コストを低く抑えることができる。
【００７６】
尚、本発明のボリューム調整手段は、ＣＰＵ１１が実行するＳ１６０〜Ｓ１８０の処理にて実現されており、判断手段は、ＣＰＵ１１が実行するＳ１３３での処理にて実現されている。また、作動制御手段は、ＣＰＵ１１がＳ１４０で回線閉結が完了したと判断すると、Ｓ１６０以降の処理を実行する動作にて実現されている。また、調整手段は、ＣＰＵ１１が実行する回線閉結処理及び、その処理に基づくハイブリッドネットワーク７３の動作、並びに、調整回路６４の動作により実現されている。また、音声再生装置は、本実施例において、音声処理部４５と、ハンドセット４９又はスピーカフォン４７とにより構成されている。また、変換回路は、音声処理部４５が備えるコーデック５１に相当する。
【００７７】
また、本発明の通信装置は、上記実施例に限定されるものではなく、種々の態様を採ることができる。
例えば、本実施例では、回線電圧を検出可能な電圧検出回路７１を備える半導体化ＤＡＡ装置４１を用いて、アンプ５３，５５のゲイン調整を行う例を説明したが、回線電流を検出可能な電流検出回路を備える半導体化ＤＡＡ装置４１を用いて、アンプ５３，５５のゲイン調整を行うようにしてもよい。回路構成を考慮すれば、検出電圧から回線電流を正確に推定でき、又、検出電流から回線電圧を正確に推定できるので、半導体化ＤＡＡ装置に電圧検出回路及び電流検出回路のいずれかの一方が内蔵されていれば、回線電流に基づいたアンプ５３，５５のゲイン調整を適切に行うことができる。
【００７８】
その他、上記実施例では、アンプ５３，５５のゲインを二段階で変更する例を示したが、アンプ５３，５５のゲインは、多段階（三段階以上）で変更されてもよい。また、この場合には、ゲインを低い側から高い側に調整することで、再生ボリュームを上げる方向に調整すればよい。
【図面の簡単な説明】
【００７９】
【図１】本実施例のファクシミリ装置１の電気的構成を示したブロック図である。
【図２】通信部２１の構成を示したブロック図（ａ）及び音声処理部４５の構成を示したブロック図（ｂ）である。
【図３】回線インタフェース部４０の構成を示したブロック図である。
【図４】ＣＰＵ１１が実行する通信処理を表すフローチャートである。
【図５】ＣＰＵ１１が実行する回線閉結処理を表すフローチャートである。
【図６】回線電圧及び回線電流と、回線規格との関係を示したグラフである。
【符号の説明】
【００８０】
１…ファクシミリ装置、３…交換機、１１…ＣＰＵ、１３…ＲＯＭ、１５…ＲＡＭ、１７…ＥＥＰＲＯＭ、１９…画像メモリ、２１…通信部、２３…スキャナ、２５…符号化部、２７…復号化部、２９…プリンタ、３１…操作パネル、３３…表示部、４０…回線インタフェース部、４１…半導体化ＤＡＡ装置、４２…一次二次分離部、４２ａ，４２ｂ，６２ａ〜６２ｄ，Ｃ…コンデンサ、４２ｃ…トランス、４３…モデム、４３ａ…ＦＡＸ信号制御部、４３ｂ…音声信号制御部、４３ｃ，６１…シリアルインタフェース、４５…音声処理部、４７…スピーカフォン、４７ｍ…マイクロフォン、４７ｒ…スピーカ、４９…ハンドセット、４９ｍ…送話器、４９ｒ…受話器、５１，６５…コーデック、５３，５５…アンプ、５７，５９…切替部、６３…リング検出回路、６４…調整回路、６７…受信アンプ、６９…送信アンプ、７１…電圧検出回路、７３…ハイブリッドネットワーク、ＬＮ…電話回線、Ｒ１，Ｒ２…抵抗、ＴＬ１，ＴＬ２…端子、Ｔｒ…トランジスタ
【図１】
2005295061.tif 000003
【図２】
2005295061.tif 000004
【図３】
2005295061.tif 000005
【図４】
2005295061.tif 000006
【図５】
2005295061.tif 000007
【図６】
2005295061.tif 000008